(57)【要約】      （修正有）【課題】被写体である患者の胸部の動態画像を撮影する際に、患者の被曝線量を的確に低減することが可能な放射線画像撮影システムを提供する。【解決手段】放射線画像撮影システムは、コリメーターを備える放射線源と、放射線検出部と、コンピューターとを備え、コンピューターは、生成した放射線画像ｐ_preを解析して、当該放射線画像ｐ_preにおける肺野Ｒの中心位置Ｏおよび肺野Ｒの範囲Ｒｅと、放射線画像ｐ_preにおける放射線の照射中心Ｏｘの位置を割り出し、両者の位置と、放射線源および放射線検出部の実空間上の位置とに基づいて、放射線画像ｐ_preにおける肺野Ｒの中心位置Ｏと放射線の照射中心Ｏｘの位置とが一致するように放射線源を移動させ、割り出した肺野Ｒの範囲Ｒｅに基づいて放射線源のコリメーターを絞るように制御して、患者の胸部の動態撮影を行う。【選択図】図４
2017074158.tif 000002
【特許請求の範囲】
【請求項１】
被写体の胸部に放射線を複数回照射して患者の胸部の動態撮影を行う放射線画像撮影システムにおいて、
放射線を照射するとともに、コリメーターの絞り具合を調整可能な放射線源と、
上下方向または左右方向の少なくともいずれかの方向に前記放射線源を移動可能な移動装置と、
被写体を透過した放射線を、その強度に応じ、画素ごとに画像データに変換して検出する放射線検出部と、
前記放射線検出部で検出された画素ごとの画像データに基づいて放射線画像を生成するコンピューターと、
を備え、
前記コンピューターは、
前記放射線源から放射線が照射されて前記放射線検出部が検出した画像データに基づいて生成した放射線画像を解析して、当該放射線画像における肺野の中心位置および当該肺野の範囲と、前記放射線画像における放射線の照射中心の位置を割り出し、
前記放射線画像における前記肺野の中心位置と前記放射線の照射中心の位置とが一致するように、前記移動装置を制御して前記放射線源を上下方向または左右方向少なくともいずれかの方向に移動させ、
割り出した前記肺野の範囲に基づいて前記放射線源の前記コリメーターを絞るように制御して、患者の胸部の動態撮影を行うことを特徴とする放射線画像撮影システム。
【請求項２】
前記移動装置は、前記放射線源を上下方向と左右方向のいずれの方向にも移動されることが可能とされており、
前記コンピューターは、前記放射線画像における前記肺野の中心位置と前記放射線の照射中心の位置とが一致するように、前記移動装置を制御して前記放射線源を上下方向と左右方向のいずれの方向にも移動させることを特徴とする請求項１に記載の放射線画像撮影システム。
【請求項３】
被写体の胸部を光学的にかつ時系列的に撮影可能な光学式撮影装置を備え、
前記コンピューターは、
前記光学式撮影装置が撮影した被写体の画像から被写体の肺野が最大吸気位になるタイミングを割り出し、
割り出した前記タイミングで前記放射線源から放射線を照射させてプレ撮影を行い、
前記放射線検出部で検出された画像データに基づいて生成した放射線画像を解析して当該放射線画像における肺野の中心位置と当該肺野の範囲を割り出すことを特徴とする請求項１または請求項２に記載の放射線画像撮影システム。
【請求項４】
前記コンピューターは、
前記放射線源から放射線を複数回照射させるとともに、前記放射線源から放射線が照射されるごとに前記放射線検出部に画像データを検出させ、
前記放射線検出部で検出された各画像データに基づいて生成した複数枚の放射線画像を解析して被写体の肺野が最大吸気位になっている放射線画像を抽出し、
抽出した放射線画像を対象として当該放射線画像における肺野の中心位置と当該肺野の範囲を割り出すことを特徴とする請求項１または請求項２に記載の放射線画像撮影システム。
【請求項５】
前記コンピューターは、
前記放射線源から放射線を連続的に照射させるとともに、前記放射線検出部に画像データを複数回検出させ、
前記放射線検出部で検出された各画像データに基づいて生成した複数枚の放射線画像を解析して被写体の肺野が最大吸気位になっている放射線画像を抽出し、
抽出した放射線画像を対象として当該放射線画像における肺野の中心位置と当該肺野の範囲を割り出すことを特徴とする請求項１または請求項２に記載の放射線画像撮影システム。
【請求項６】
前記コンピューターは、前記生成した複数枚の放射線画像を、動態画像を構成する放射線画像の一部として用いることを特徴とする請求項４または請求項５に記載の放射線画像撮影システム。
【請求項７】
前記コンピューターは、前記放射線画像における肺野の範囲を、左右の肺を含む領域に外接する矩形として算出し、前記放射線画像における肺野の中心位置を、当該矩形の中心として割り出すことを特徴とする請求項１から請求項６のいずれか一項に記載の放射線画像撮影システム。
【発明の詳細な説明】
【技術分野】
【０００１】
本発明は、放射線画像撮影システムに係り、患者の胸部に放射線を複数回照射して肺野等の動態画像を撮影する放射線画像撮影システムに関する。
【背景技術】
【０００２】
複数の放射線検出素子が二次元状（マトリクス状）に配列され、被写体を透過した放射線を、各放射線検出素子で（すなわち画素ごとに）その強度に応じて画像データに変換して検出する放射線画像撮影装置（flat panel detectorや半導体イメージセンサー等ともいう。）は、従来のフィルム／スクリーンや輝尽性蛍光体プレート等に代わる放射線の静止画撮影用の装置として開発されてきた。
【０００３】
そして、従来のフィルム／スクリーンや輝尽性蛍光体プレートでは、それらに放射線を複数回照射すると二重露光や多重露光の問題が生じてしまうが、放射線画像撮影装置では検出した画像データを撮影ごとに装置内のメモリーに保存しておくことができる。このように、放射線画像撮影装置では二重露光や多重露光の問題が生じないため、放射線画像撮影装置を用いて、被写体の撮影部位（検査対象部位）に放射線を複数回照射して動態画像を撮影することができる。
【０００４】
例えば、検査対象部位として被写体である患者の胸部に放射線を複数回照射して動態画像を撮影すると、例えば図１０に示すように、患者の肺野Ｒの各時間位相Ｔ（Ｔ＝ｔ０〜ｔ６）の各放射線画像（すなわち動態画像を構成する各フレーム画像）を得ることができ、これらの各フレーム画像を解析することで、肺野Ｒの最大吸気位や最大呼気位、呼気期、吸気期等を割り出すことができる。そして、このような動態画像をさらに解析して、診断に応用する試みがなされるようになってきている。
【０００５】
一方、近年、このような放射線画像撮影装置を用いた放射線画像撮影において、被写体である患者の被曝線量をできるだけ低減することが強く要請されるようになってきている。
【０００６】
そこで、静止画撮影の場合には、例えば特許文献１、２等に記載されているように、本撮影の前にプレ撮影を行い、プレ撮影で撮影された放射線画像（プレ画像）を放射線技師等が見て被写体の位置決め等が適切であるかを確認し、位置決めが適切でない場合には位置決めをし直して本撮影を行う場合がある。このようにして撮影を行うことで、被写体の位置決め等が適切でないにもかかわらず本撮影を行ってしまい再撮影が必要になる事態が生じることを防止して、再撮影を行わなくて済む分だけ被写体である患者の被曝線量を低減することが可能となる。
【０００７】
また、上記のようにプレ撮影を行う場合、プレ撮影の際に照射する放射線の線量が本撮影の際に照射する放射線の線量よりも小さくなるように撮影条件が設定される場合も少なくない。そして、このようにプレ撮影の際の放射線の線量を小さくすることで、患者の被曝線量をさらに低減することが可能となる。
【０００８】
一方、特許文献３に記載された、動態画像を撮影する放射線画像撮影システムの発明では、動態画像として撮影された複数の放射線画像のそれぞれについて、例えば各放射線画像に撮影された肺野等の検査対象部位の画像領域を認識し、検査対象部位が撮影された画像領域が放射線画像内に収まっていない場合にコンソール上に警告を表示することが記載されている。
【０００９】
そこで、例えば、上記の静止画撮影の場合と同様に、動態画像の撮影においてもプレ撮影を行うように構成する。そして、プレ撮影で撮影した複数のプレ画像に対して特許文献１に記載された発明を適用し、肺野等の検査対象部位がプレ画像内に収まっていないプレ画像がある場合に警告を発するように構成する等して、不用意に動画撮影を行ってしまい再撮影を行わなければならなくなるような事態が発生することを防止するように構成することも可能である。
【先行技術文献】
【特許文献】
【００１０】
【特許文献１】特開２００９−２９７２８４号公報
【特許文献２】特開２００６−２０４７４４号公報
【特許文献３】特開２０１３−１３７３７号公報
【発明の概要】
【発明が解決しようとする課題】
【００１１】
しかしながら、動態画像の撮影では、本撮影（すなわち動態画像の撮影）の際に照射される放射線の線量を大きくすると、そのような放射線が複数回照射されることになるため、被写体である患者の被曝線量が大きくなってしまう。そのため、動態画像の撮影では、通常、そもそも本撮影の際に照射される放射線の線量が小さくなるように撮影条件が設定される。
【００１２】
そのため、上記の静止画撮影の場合と同様に、プレ撮影の際に照射する放射線の線量を本撮影（すなわち動態画像の撮影）の際に照射する放射線の線量よりも小さくすると、プレ撮影の際に照射される放射線の線量が非常に小さくなる。そのため、プレ画像にほとんど何も写らなくなってしまい、放射線技師等がプレ画像を見て被写体の位置決め等が適切であるかを確認することができなくなる。
【００１３】
そのため、動態画像の撮影においてプレ撮影を行うように構成する場合には、プレ撮影の際に照射する放射線の線量を本撮影（すなわち動態画像の撮影）の際に照射する放射線の線量よりも小さくすることはあまり現実的であるとは言えない。そのため、動態画像の撮影においては、他の方法で、被写体である患者の被曝線量を低減することが必要になる。
【００１４】
本発明は、上記の点を鑑みてなされたものであり、被写体である患者の胸部の動態画像を撮影する際に、患者の被曝線量を的確に低減することが可能な放射線画像撮影システムを提供することを目的とする。
【課題を解決するための手段】
【００１５】
前記の問題を解決するために、本発明の放射線画像撮影システムは、
被写体の胸部に放射線を複数回照射して患者の胸部の動態撮影を行う放射線画像撮影システムにおいて、
放射線を照射するとともに、コリメーターの絞り具合を調整可能な放射線源と、
上下方向または左右方向の少なくともいずれかの方向に前記放射線源を移動可能な移動装置と、
被写体を透過した放射線を、その強度に応じ、画素ごとに画像データに変換して検出する放射線検出部と、
前記放射線検出部で検出された画素ごとの画像データに基づいて放射線画像を生成するコンピューターと、
を備え、
前記コンピューターは、
前記放射線源から放射線が照射されて前記放射線検出部が検出した画像データに基づいて生成した放射線画像を解析して、当該放射線画像における肺野の中心位置および当該肺野の範囲と、前記放射線画像における放射線の照射中心の位置を割り出し、
前記放射線画像における前記肺野の中心位置と前記放射線の照射中心の位置とが一致するように、前記移動装置を制御して前記放射線源を上下方向または左右方向少なくともいずれかの方向に移動させ、
割り出した前記肺野の範囲に基づいて前記放射線源の前記コリメーターを絞るように制御して、患者の胸部の動態撮影を行うことを特徴とする。
【発明の効果】
【００１６】
本発明のような方式の放射線画像撮影システムによれば、放射線技師等の撮影者は、通常、動態画像の各フレーム画像上で肺野の一部が欠けた状態で撮影されないようにするために、放射線源のコリメーターの絞り具合を、各フレーム画像中に肺野が撮影されるぎりぎりの状態よりも広めに調整する傾向があるが、本発明では、放射線源から被写体を介して放射線検出部に照射される放射線の照射野を、各フレーム画像中に肺野が撮影されるぎりぎりの状態（すなわち肺野の範囲）にまで絞ることが可能となる。
【００１７】
そのため、放射線技師等の撮影者がコリメーターの絞り具合を広めに設定して動態撮影を行う場合に比べて、患者の肺野以外の部分に放射線が照射されない状態にしたり照射される放射線の量を減らしたりすることが可能となり、患者の被曝線量を的確に低減させることが可能となる。
【図面の簡単な説明】
【００１８】
【図１】第１の実施形態に係る放射線画像撮影システムの構成を表す図である。
【図２】（Ａ）放射線源の構成を表す側面図であり、（Ｂ）コリメーターの構成を表す正面図である。
【図３】光学式撮影装置で撮影された患者の胸部の横幅が周期的に変化する状態等を表すグラフである。
【図４】（Ａ）放射線画像における肺野の中心位置と肺野の範囲等、および（Ｂ）放射線画像における放射線の照射中心の位置等を表す図である。
【図５】放射線画像における放射線の照射中心の位置を肺野の中心位置に一致させるために必要な画像の縦方向および横方向の移動量Δｕ、Δｖを説明する図である。
【図６】放射線源のコリメーターが絞られ、照射野が放射線画像中に肺野が撮影されるぎりぎりの状態にまで絞られた状態で撮影された放射線画像を表す図である。
【図７】コリメーターの一例の構成を説明する図である。
【図８】第２の実施形態に係る放射線画像撮影システムの構成を表す図である。
【図９】動態撮影が続行され各フレーム画像が順次撮影される間に、フレーム画像中の照射野の位置が移動したりフレーム画像における照射野の範囲が狭くなったりする状態を表す図である。
【図１０】患者の胸部の動態撮影で撮影される各フレーム画像を表す図であり、肺野の最大吸気位等を説明する図である。
【発明を実施するための形態】
【００１９】
以下、本発明に係る放射線画像撮影システムの実施の形態について、図面を参照して説明する。ただし、本発明は図示例のものに限定されるものではない。
【００２０】
なお、以下では、動画撮影が立位で行われる場合について説明するが、動態撮影が臥位で行われる場合についても同様に説明され、本発明は、動態撮影が臥位で行われる場合についても適用される。
【００２１】
［第１の実施の形態］
図１は、本発明の第１の実施形態に係る放射線画像撮影システムの全体構成を表す図である。本実施形態では、放射線画像撮影システム１００は、図１に示すように、検査対象部位であり撮影部位である被写体Ｈの胸部に放射線を複数回照射して被写体Ｈである患者の胸部の動態撮影を行うように構成されており、放射線源１０と、放射線検出部２０と、光学式撮影装置３０と、コンピューター４０とを備えている。
【００２２】
放射線源１０は、図２（Ａ）に示すように、図示しない回転陽極等からなる光源１１から放射線Ｘを照射するように構成されており、放射線Ｘの照射方向に設けられたコリメーター（絞り等ともいう。）１２で光源１１から照射された放射線Ｘを絞ることで、被写体Ｈに照射される放射線Ｘの範囲すなわち照射野を調整することができるようになっている。
【００２３】
本実施形態では、コリメーター１２は、図２（Ｂ）に示すように、上遮蔽羽根１２Ａと下遮蔽羽根１２Ｂ、左遮蔽羽根１２Ｃ、右遮蔽羽根１２Ｄを備えている。そして、調整装置１３（図２（Ａ）参照）を駆動させて、上下の遮蔽羽根１２Ａ、１２Ｂを上下方向（ｚ方向）に、左右の遮蔽羽根１２Ｃ、１２Ｄを左右方向（ｙ方向）に、それぞれ図示しないレールに沿って移動させることで、コリメーター１２による放射線Ｘの絞り具合を調整することができるようになっている。
【００２４】
このように、本実施形態では、コンピューター４０は、放射線源１０のコリメーター１２の調整装置１３を制御することで、コリメーター１２の絞り具合を調整することができるようになっている。
【００２５】
そして、調整装置１３は、コンピューター４０の制御によりコリメーター１２の絞り具合を変える際、或いは放射線技師等の撮影者が手動でコリメーター１２の絞り具合を変えた際に、コリメーター１２の開口部１２ａ（図２（Ｂ）参照）の上下方向の長さｚ１２や左右方向の長さｙ１２（すなわちいわゆるコリメーターサイズ）を計測して、コンピューター４０に計測したコリメーター１２の開口部１２ａの上下方向および左右方向の長さｚ１２、ｙ１２を通知するようになっている。
【００２６】
また、本実施形態では、図１に示すように、放射線源１０は、撮影室の天井に取り付けられており、図示しないモーター等を備えた移動装置１４により、上下方向（ｚ方向）および左右方向（ｙ方向）に移動可能に支持されている。そして、コンピューター４０は、移動装置１４を制御することで、放射線源１０を上下方向および左右方向に移動させることができるようになっている。
【００２７】
なお、図１に示したように動態撮影が立位で行われる場合、移動装置１４が放射線源１０を上下方向にしか移動させることができないように構成されている場合があるが、その場合には、以下の説明において、コンピューター４０は、放射線源１０を上下方向にのみ移動させるように移動装置１４を制御する。
【００２８】
また、図示を省略するが、動態撮影が臥位で行われる場合、放射線源１０が、横臥した被写体Ｈの体軸方向に沿って左右方向（ｘ方向、ｙ方向）にしか移動できないように構成されている場合があるが、そのような場合には、以下の説明において、コンピューター４０は、放射線源１０を左右方向にのみ移動させるように移動装置を制御する。なお、動態撮影が臥位で行われる場合に、放射線源１０が上下方向、左右方向のいずれの方向にも移動可能である場合には、コンピューター４０は、以下の説明と同様に、放射線源１０を上下方向や左右方向に移動させるように制御することは言うまでもない。
【００２９】
本実施形態では、移動装置１４は、コンピューター４０の制御により放射線源１０を上下方向（ｚ方向）や左右方向（ｙ方向）に移動させる際、或いは撮影者が手動で放射線源１０を上下方向（ｚ方向）や左右方向（ｙ方向）に移動させた際に、放射線源１０の上下方向の基準位置からの上下方向の距離ｚ（基準位置ではｚ＝０）や、左右方向の基準位置からの距離ｙ（基準位置ではｙ＝０）を計測して、コンピューター４０に計測した上下方向や左右方向の距離ｚ、ｙを通知するようになっている。
【００３０】
なお、本実施形態では、このように、放射線源１０の上下方向（ｚ方向）や左右方向（ｙ方向）の位置を、上下方向や左右方向の各基準位置からの距離ｚ、ｙとして計測するようになっている。そして、放射線源１０の上下方向や左右方向の各基準位置は、それぞれ任意の位置に予め決められる。
【００３１】
また、放射線源１０は、図示しないジェネレーターを備えており、ジェネレーターは、管電圧や管電流、放射線の１回の照射あたりの照射時間、放射線の照射回数（或いは全体的な照射時間）等が設定されると、それに応じた強度と照射時間で、設定された照射回数だけ（或いは設定された全体的な照射時間だけ）放射線を放射線源１０から照射させるようになっている。
【００３２】
放射線検出部２０は、本実施形態では、撮影台２１のカセッテホルダー２２に可搬型（カセッテ型等ともいう。）の放射線画像撮影装置Ｆが装填されて構成されているが、例えば、カセッテホルダー２２と放射線画像撮影装置Ｆとが一体的に形成された専用機型の放射線検出部として構成することも可能である。
【００３３】
そして、放射線検出部２０は、被写体Ｈを透過した放射線を、その強度に応じ、画素（すなわち前述した放射線検出素子）ごとに画像データに変換して検出すると、図示しない記憶手段に一旦記憶した後、或いは画像データを検出するごとに、検出した画像データをコンピューター４０に転送するようになっている。
【００３４】
また、放射線検出部２０のカセッテホルダー２２は、放射線技師等の撮影者が手動で、或いは図示しないモーター等を駆動させて、上下方向（ｚ方向）の位置を変えることができるようになっている。そして、撮影台２１には、ポテンショメーター等の計測装置２３が設けられており、計測装置２３は、放射線検出部２０（本実施形態では放射線画像撮影装置Ｆ）の位置が変えられると、放射線検出部２０の上下方向の基準位置からの高さｈ（基準位置ではｈ＝０）を計測して、コンピューター４０に計測した基準位置からの高さｈを通知するようになっている。
【００３５】
なお、本実施形態では、このように、放射線検出部２０の上下方向の位置を、上下方向の基準位置からの高さｈとして計測するようになっている。そして、放射線検出部２０の上下方向の基準位置は撮影室の床面からの任意の高さに予め決められる。
【００３６】
光学式撮影装置３０は、光学式の（すなわち放射線ではなく可視光の波長領域で撮影を行う）ビデオカメラ等で構成されており、放射線源１０から被写体Ｈに照射される放射線を遮らない位置に配置されている。そして、光学式撮影装置３０は、被写体Ｈの胸部を背面側或いは正面側から光学的に動画撮影するようになっている。
【００３７】
そして、光学式撮影装置３０は、コンピューター４０から撮影開始の信号が送信されてくると、被写体Ｈである患者の胸部の動画撮影を開始し、撮影した画像をリアルタイムでコンピューター４０に送信するようになっている。なお、光学式撮影装置３０は、必ずしも動画撮影を行うことができるものである必要はなく、例えば被写体Ｈの胸部を比較的短い周期で繰り返し撮影する等して、被写体Ｈの胸部の膨張や収縮を時系列的に撮影することができるものであればよい。
【００３８】
コンピューター４０は、図示しないＣＰＵ（Central Processing Unit）やＲＯＭ（Read Only Memory）、ＲＡＭ（Random Access Memory）、入出力インターフェース等がバスに接続されて構成されている。そして、放射線源１０から放射線が複数回照射されて被写体Ｈの胸部の動態撮影が行われ、放射線検出部２０から検出された画像データが転送されてくると、コンピューター４０は、転送されてきた画像データに対して所定の画像処理を施して複数の放射線画像（すなわち動態画像を構成する各フレーム画像）を生成するようになっている。
【００３９】
また、本実施形態では、本撮影としての動態撮影の前に、前述したプレ撮影が行われるようになっている。そして、プレ撮影では、放射線源１０から被写体Ｈを介して放射線検出部２０に１回だけ放射線（本撮影である動態撮影の場合と同じ線量）が照射されるようになっている。
【００４０】
そして、コンピューター４０は、プレ撮影で撮影された放射線画像（以下、プレ画像という。）を解析して、プレ画像中に撮影されている患者の肺野Ｒ（図１０参照）の中心位置や肺野の範囲を割り出す。
【００４１】
そして、コンピューター４０は、割り出した肺野Ｒの中心位置を使い、放射線源１０から照射される放射線Ｘの放射線の照射中心Ｃｘ（図１参照）のプレ画像上の位置が肺野Ｒの中心位置と一致するように、移動装置１４を制御して、放射線源１０を現状の位置から上下方向や左右方向に移動させて、放射線源１０の上下方向および左右方向の位置を調整する。
【００４２】
また、コンピューター４０は、割り出した肺野Ｒの範囲を使い、調整装置１３を制御して放射線源１０のコリメーター１２の絞り具合を調整して、放射線の照射野を割り出した肺野Ｒの範囲にまで絞ることで、患者の肺野Ｒを的確に撮影しつつ、放射線源１０のコリメーター１２をできるだけ絞るように調整する。
【００４３】
そして、コンピューター４０は、以上のようにプレ撮影の結果（すなわち患者の肺野Ｒの中心位置や範囲）を用いて撮影環境を整えた上で、本撮影である動態撮影を開始し、放射線源１０から被写体Ｈに放射線を複数回照射させて被写体Ｈの動態撮影を行わせる。
【００４４】
本実施形態では、このように構成することで、放射線源１０のコリメーター１２を絞り患者の肺野Ｒ以外の部分に放射線を照射させないようにして患者の被曝線量を的確に低減しつつ、動態画像を構成する各フレーム画像（図１０参照）中に肺野Ｒを的確に撮影するようになっている。
【００４５】
以下、主に、本実施形態に係る放射線画像撮影システム１００において患者の胸部（特に肺野Ｒ）を撮影対象としてプレ撮影を行い、本撮影としての動態撮影を開始するまでの各処理について時系列的に説明して、より具体的に説明する。また、本実施形態に係る放射線画像撮影システム１００の作用についてもあわせて説明する。
【００４６】
放射線技師等の撮影者は、まず、放射線源１０のジェネレーターを操作して、管電圧や管電流、放射線の１回の照射あたりの照射時間、放射線の照射回数（或いは全体的な照射時間）等の撮影条件を設定する。或いは、動態撮影を指定する撮影オーダー情報等に基づいてコンピューター４０等がジェネレーターに自動的に設定した撮影条件を確認し、必要に応じて撮影条件を修正する。なお、撮影条件の設定が、以下で説明するポジショニング等の後で行われる場合もある。
【００４７】
そして、撮影者は、図１に示したように、被写体Ｈである患者を放射線検出部２０の前に起立させ、患者の身長等にあわせて放射線検出部２０の高さを調整したり、被写体Ｈである患者の胸部に放射線が照射されるように放射線源１０の上下方向や左右方向の位置を調節する等してポジショニングを行う。
【００４８】
その際、撮影台２１の計測装置２３は、放射線検出部２０が上下方向に動かされると、前述したように放射線検出部２０（本実施形態では放射線画像撮影装置Ｆ）の上下方向の基準位置からの高さｈを計測して、コンピューター４０に、計測した放射線検出部２０の基準位置からの高さｈ（すなわち放射線検出部２０の上下方向の位置）を通知する。
【００４９】
また、放射線源１０の移動装置１４は、放射線源１０が上下方向（ｚ方向）や左右方向（ｙ方向）に動かされると、前述したように放射線源１０の上下方向の基準位置からの距離ｚや、左右方向の基準位置からの距離ｙを計測して、コンピューター４０に、計測した放射線源１０の上下方向や左右方向の各基準位置からの距離ｚ、ｙ（すなわち放射線源１０の上下方向や左右方向の各位置）を通知する。
【００５０】
さらに、撮影者は、ポジショニングの際、放射線源１０のコリメーター１２を手動で開いたり閉じたりしてコリメーター１２の絞り具合を調整する場合がある。その際、放射線源１０の調整装置１３は、前述したようにコリメーターサイズ（すなわちコリメーター１２の開口部１２ａの上下方向の長さｚ１２や左右方向の長さｙ１２）を計測して、コンピューター４０に、計測したコリメーターサイズ（すなわちｚ１２、ｙ１２）を通知する。
【００５１】
なお、この場合、コリメーター１２を拡げると、患者の胸部以外の部分に放射線が照射されてしまい、患者の被曝線量が増大してしまうため、撮影者はコリメーター１２を絞る方向で調整する。しかし、コリメーター１２を絞り過ぎると、動態画像を構成する各フレーム画像中に撮影される患者の肺野Ｒがフレーム画像からはみ出してしまい（すなわち撮影されたフレーム画像において肺野Ｒの一部が欠ける状態になってしまい）、適切な動態画像が得られない。
【００５２】
そして、適切な動態画像が得られないと再撮影が必要になり、再撮影を行う分、患者の被曝線量が増大してしまう。そのため、放射線技師等の撮影者は、通常、コリメーター１２の絞り具合を、各フレーム画像中に肺野Ｒが撮影されるぎりぎりの状態よりも広めに調整する傾向がある。
【００５３】
それに対し、本実施形態に係る放射線画像撮影システム１００では、上記のように撮影者が広めに調整したコリメーター１２の絞り具合を、動態画像を構成する各フレーム画像中に肺野Ｒが撮影されるぎりぎりの状態にまで絞ることで、患者の肺野Ｒ以外の部分にできるだけ放射線が照射されないようにする。そして、このように構成することで、上記のように撮影者がコリメーター１２の絞り具合を広めに調整して動態撮影を行う場合に比べて、患者の肺野Ｒ以外の部分に照射される放射線をできるだけ減らして、患者の被曝線量を低減させるようになっている。
【００５４】
一方、本実施形態では、上記のように、コンピューター４０は、上記のようにプレ撮影で得られたプレ画像を解析して、プレ画像中に撮影されている患者の肺野Ｒの中心位置や肺野Ｒの範囲を割り出し、それに基づいて、放射線源１０のコリメーター１２の絞り具合を、動態画像を構成する各フレーム画像中に肺野Ｒが撮影されるぎりぎりの状態にまで絞るが、その際、前述したように、各フレーム画像中に撮影される患者の肺野Ｒがフレーム画像からはみ出して肺野Ｒの一部が欠ける状態になってしまわないようにする必要がある。
【００５５】
そこで、本実施形態では、呼吸により患者の肺野Ｒが最も拡がり得るタイミングすなわち最大吸気位にあるタイミングでプレ撮影を行うようになっている。そのため、本実施形態では、上記のように、放射線検出部２０の前に起立した患者の胸部を光学的に撮影する光学式撮影装置３０（図１参照）を設けるようになっている。
【００５６】
そして、コンピューター４０は、上記のようにして、放射線技師等の撮影者が患者や各装置のポジショニングを完了し、動態撮影を行うために放射線源１０の図示しない曝射スイッチを押すと、すぐには放射線源１０から放射線を照射させず、まず、光学式撮影装置３０に撮影開始の信号を送信する。
【００５７】
光学式撮影装置３０は、コンピューター４０からの信号を受信すると、被写体Ｈである患者の胸部の動画撮影（或いは前述した時系列的な撮影。以下同じ。）を開始し、撮影した画像をリアルタイムでコンピューター４０に送信する。そして、コンピューター４０は、送信されてきた各画像を即座に解析して、例えば、撮影された患者の胸部の横幅Ｄ（実際の長さ［ｃｍ］でもよくプレ画像上の画素数等でもよい。）を割り出す。
【００５８】
前述したように、被写体Ｈである患者の胸部は呼吸のために膨張と収縮を繰り返すため、患者の胸部の横幅Ｄは、例えば図３に示すように、周期的に大きくなったり小さくなったりする。そこで、コンピューター４０は、患者の胸部の横幅Ｄが極大になる周期τを割り出して、次に患者の胸部の横幅Ｄが極大になるタイミングすなわち患者の肺野Ｒが最大吸気位になるタイミング（図３の時刻ｔａ参照）を割り出し、そのタイミングで（すなわち時刻ｔａに）放射線源１０から放射線を１回だけ照射させてプレ撮影を行う。
【００５９】
放射線検出部２０（図１参照）は、プレ撮影が行われて画像データを検出すると、検出した画像データをコンピューター４０に転送し、コンピューター４０は、転送されてきた画像データに所定の画像処理を施してプレ画像を生成する。そして、撮影されたプレ画像には最大吸気位の肺野Ｒが撮影されているため、コンピューター４０は、そのプレ画像を解析して、プレ画像に撮影されている患者の肺野Ｒの中心位置と肺野の範囲を割り出す。
【００６０】
具体的には、図４（Ａ）に示すように、プレ画像ｐ_preの各画素の画像データを解析して、肺野Ｒのエッジ部分（すなわち例えば隣接する画素の画像データ同士が所定値以上に大きく変化する部分）を抽出してプレ画像ｐ_pre中に撮影されている肺野Ｒの領域を割り出す。なお、画像中の肺野Ｒの領域の割り出し等については、例えば特開２０１４−１２８６８７号公報等に詳しく説明されており、詳しくは同公報等を参照されたい。
【００６１】
そして、コンピューター４０は、図４（Ａ）に示すように、肺野Ｒ（左右の肺を含む。）の領域に外接する矩形Ｒｅを算出し、この矩形Ｒｅを、プレ画像ｐ_preや動態画像を構成する各フレーム画像（すなわち放射線画像）における患者の肺野Ｒの範囲として割り出す（以下、肺野Ｒの範囲Ｒｅという。）。そして、コンピューター４０は、その肺野の範囲Ｒｅの中心Ｏを、放射線画像における肺野Ｒの中心位置Ｏとして割り出す。具体的には、肺野Ｒの中心位置Ｏは、例えば図４（Ａ）に示すように左右の肺を含む肺野Ｒの領域に外接する上記の矩形Ｒｅの２本の対角線の交点等として算出される。
【００６２】
なお、図４（Ａ）、（Ｂ）において、プレ画像ｐ_preにおける放射線の照射野ＩＦ（すなわち放射線が照射されている領域）の外側の周縁部ｐｎは、放射線源１０のコリメーター１２で放射線が遮られて放射線検出部２０に放射線が到達しない部分であり、何も撮影されていない。
【００６３】
そして、コンピューター４０は、放射線源１０から照射された放射線が、上記のようにして割り出した放射線画像における患者の肺野Ｒの範囲Ｒｅに放射線が照射されるように、放射線源１０の位置を変えたりコリメーター１２を絞るように制御する。本実施形態では、このように制御して、放射線源１０のコリメーター１２の絞り具合を、動態画像を構成する各フレーム画像中に肺野Ｒが撮影されるぎりぎりの状態にまで絞ることで、患者の被曝線量を可能な限り低減するようになっている。
【００６４】
以下、放射線源１０から照射された放射線が、放射線画像における患者の肺野Ｒの範囲Ｒｅに放射線が照射されるようにするためのコンピューター４０による制御について説明する。
【００６５】
コンピューター４０は、上記のように放射線技師等の撮影者が放射線源１０の上下方向や左右方向の位置を調整する等してポジショニングを行った時点、すなわちプレ撮影の時点での、放射線画像における放射線の照射中心の位置を割り出すため、図４（Ｂ）に示すように、まず、プレ画像ｐ_preにおいて被写体が撮影されている照射野ＩＦの領域を割り出し、その中心位置Ｏｘを算出する。算出した中心位置Ｏｘが、プレ撮影の時点で放射線源１０から照射された放射線の、放射線画像における照射中心Ｏｘの位置であり、図１に示したように放射線源１０から照射される放射線Ｘの照射中心Ｃｘが放射線検出部２０上に到達する位置に相当する。
【００６６】
一方、本実施形態では、コンピューター４０は、放射線画像上での照射中心Ｏｘの画像の縦方向や横方向への移動量を表す画素数Δｕ、Δｖ（後述する図５参照）と、実空間上での放射線源１０の上下方向（ｚ方向）や左右方向（ｙ方向）への移動量Δｚ、Δｙとの関係（すなわち実空間上で放射線源１０を上下方向や左右方向にそれぞれどれだけ移動させると放射線画像上で照射中心Ｏｘの位置が画像の縦方向や横方向にそれぞれ何画素分移動するかを表す関係）を予め有している。
【００６７】
そして、コンピューター４０は、図５に示すように、上記のようにして割り出した放射線画像（このプレ画像ｐ_pre）における放射線の照射中心Ｏｘの位置と肺野Ｒの中心位置Ｏに基づいて、照射中心Ｏｘを肺野Ｒの中心位置Ｏに移動させて照射中心Ｏｘの位置と肺野Ｒの中心位置Ｏとを一致させるために、放射線画像上で照射中心Ｏｘを画像の縦方向（ｕ方向。放射線画像撮影システム１００における上下方向に対応。）に何画素分（すなわち上記の移動量Δｕ）移動させ、画像の横方向（ｖ方向。放射線画像撮影システム１００における左右方向に対応。）に何画素分（すなわち上記の移動量Δｖ）移動させることが必要かを算出する。
【００６８】
そして、コンピューター４０は、算出した縦方向および横方向の移動量Δｕ、Δｖと上記の関係に基づいて、移動量Δｕ、Δｖに対応する実空間上での放射線源１０の上下方向および左右方向への各移動量Δｚ、Δｙをそれぞれ割り出す。そして、移動装置１４を制御して、放射線源１０を上下方向にΔｚだけ移動させ、左右方向にΔｙだけ移動させる。
【００６９】
一方、本実施形態では、コンピューター４０は、放射線源１０のコリメーター１２のコリメーターサイズ（すなわち上記のｚ１２、ｙ１２）の各変化量Δｚ１２、Δｙ１２と、放射線画像上での放射線の照射野ＩＦの縦方向および横方向の長さＵ、Ｖ（図４（Ｂ）参照）の各変化量ΔＵ、ΔＶとの関係（すなわち実空間上でコリメーター１２の開口部１２ａ（図２（Ｂ）参照）の上下方向の長さｚ１２や左右方向の長さｙ１２をそれぞれどれだけ変化させると放射線画像上で照射野ＩＦの縦方向や横方向の長さがそれぞれ何画素分変化するかを表す関係）を予め有している。
【００７０】
そして、コンピューター４０は、図４（Ｂ）に示したプレ画像ｐ_pre上での照射野ＩＦの縦方向の長さ（画素数）Ｕと、図４（Ａ）に示した肺野Ｒの範囲Ｒｅの縦方向の画素数との差（すなわち上記の変化量ΔＵ）を算出し、上記の関係に基づいて、放射線画像上での照射野ＩＦの縦方向の長さを肺野Ｒの範囲Ｒｅの縦方向の長さに一致させるために、放射線源１０のコリメーター１２の開口部１２ａの上下方向の長さｚ１２をどれだけの変化量Δｚ１２だけ変化させればよいか（すなわち現状からどれだけ狭めるか）を算出する。
【００７１】
また、コンピューター４０は、照射野ＩＦの横方向についても同様に、図４（Ｂ）に示したプレ画像ｐ_pre上での照射野ＩＦの横方向の長さ（画素数）Ｖと、図４（Ａ）に示した肺野Ｒの範囲Ｒｅの横方向の画素数との差（すなわち上記の変化量ΔＶ）を算出し、上記の関係に基づいて、放射線画像上での照射野ＩＦの横方向の長さを肺野Ｒの範囲Ｒｅの横方向の長さに一致させるために、放射線源１０のコリメーター１２の開口部１２ａの左右方向の長さｙ１２をどれだけの変化量Δｙ１２だけ変化させればよいか（すなわち現状からどれだけ狭めるか）を算出する。
【００７２】
そして、コンピューター４０は、調整装置１３（図２（Ａ）参照）を制御して、算出した上下方向および左右方向の変化量Δｚ１２、Δｙ１２だけコリメーター１２の上遮蔽羽根１２Ａや下遮蔽羽根１２Ｂ、左遮蔽羽根１２Ｃ、右遮蔽羽根１２Ｄをそれぞれ移動させて、放射線源１０のコリメーター１２を絞るように制御する。
【００７３】
以上のようにして、放射線源１０を上下方向や左右方向に移動させてコリメーター１２を絞ると、プレ撮影の時点（すなわち放射線技師等の撮影者がポジショニングをした時点）で撮影者により図４（Ａ）、（Ｂ）に示したように広めに設定されていた照射野ＩＦを、図６に示すように、放射線画像ｐ中に肺野Ｒが撮影されるぎりぎりの状態（すなわち上記のようにして割り出した肺野Ｒの範囲Ｒｅ）にまで絞ることが可能となる。
【００７４】
そのため、上記のように放射線技師等の撮影者がコリメーター１２の絞り具合を広めに調整して動態撮影を行う場合に比べて、患者の肺野Ｒ以外の胸部や肩等の部分に放射線が照射されない状態にしたり照射される放射線の量を減らしたりすることが可能となり、患者の被曝線量を確実に低減させることが可能となる。
【００７５】
また、前述したように、本実施形態では、上記の肺野Ｒの範囲Ｒｅの割り出しは、患者の肺野Ｒが最大吸気位になるタイミングで撮影されたプレ画像に基づいて行われる。そのため、上記のようにコリメーター１２を絞り図６に示したように照射野ＩＦが狭められた状態で動態撮影を行っても、呼吸により膨張したり収縮したりする肺野Ｒが照射野ＩＦの外側にはみ出してしまい肺野Ｒの一部が欠ける状態になってしまうことはない。
【００７６】
そのため、上記のように制御された状態（すなわち図６に示した状態）で本撮影である動態撮影を開始し、放射線源１０から被写体Ｈの胸部に放射線を複数回照射させて、被写体Ｈの動態撮影（すなわち各フレーム画像ｐの撮影）を行わせても、各フレーム画像ｐ中に、肺野Ｒが欠けることなく撮影される。そのため、患者の肺野Ｒの動態撮影を的確に行うことが可能となる。
【００７７】
なお、図６に示したように放射線画像ｐ中の放射線の照射野ＩＦを、放射線画像ｐ中に肺野Ｒが撮影されるぎりぎりの状態（すなわち上記のようにして割り出した肺野Ｒの範囲Ｒｅ）になるまで放射線源１０のコリメーター１２を絞ると、放射線画像ｐ上で肺野Ｒのエッジ部分と照射野ＩＦの端部とが重なってしまい、肺野Ｒのエッジ部分が見づらくなる可能性がある。そのため、そのような場合には、照射野ＩＦが、放射線画像ｐ中に肺野Ｒが撮影されるぎりぎりの状態よりも僅かに広い状態にまで絞られるように、放射線源１０のコリメーター１２を絞るように構成することも可能である。
【００７８】
［効果］
以上のように、本実施形態に係る放射線画像撮影システム１００によれば、放射線源１０から被写体Ｈを介して放射線検出部２０に照射される放射線の照射野ＩＦを、放射線画像ｐ中に肺野Ｒが撮影されるぎりぎりの状態（すなわち割り出した肺野Ｒの範囲Ｒｅ）にまで絞ることが可能となる。そのため、放射線技師等の撮影者がポジショニングの際に放射線源１０のコリメーター１２の絞り具合を広めに設定して動態撮影を行う場合に比べて、患者の肺野Ｒ以外の部分に放射線が照射されない状態にしたり照射される放射線の量を減らしたりすることが可能となる。そのため、患者の被曝線量を的確に低減させることが可能となる。
【００７９】
また、このように制御した状態で動態撮影を行っても、呼吸により膨張したり収縮したりする肺野Ｒが照射野ＩＦの外側にはみ出してしまうことはなく、肺野Ｒの一部が欠けてしまうことが的確に防止された状態で動態撮影を行うことが可能となる。そのため、本実施形態に係る放射線画像撮影システム１００によれば、患者の肺野Ｒの動態撮影を的確に行うことが可能となる。
【００８０】
なお、本実施形態に係る放射線画像撮影システム１００によれば、放射線技師等の撮影者が、上記のように患者や各装置のポジショニングを行い、放射線源１０の曝射スイッチを押すと、コンピューター４０は、被写体Ｈである患者が２、３回呼吸をする間にプレ撮影（１回の放射線の照射）を行い、放射線源１０の移動やコリメーター１２を絞る制御を行って、すぐに動態撮影を開始する。そして、動態撮影は、通常、患者が所定回数（例えば３回等）呼吸をする間に放射線が所定回数照射されて行われる。
【００８１】
そのため、本実施形態に係る放射線画像撮影システム１００を用いた患者の胸部（肺野Ｒ）の動態撮影は、被写体Ｈである患者が５、６回程度呼吸をする間に終わり、短時間で終わるため、患者にかかる負担が非常に少ない。また、放射線技師等の撮影者は、放射線源１０の曝射スイッチを押すだけで、コンピューター４０がプレ撮影や動態撮影を全て自動的に行うため、撮影者は動態撮影（プレ撮影を含む。）を非常に楽に行うことが可能となり、放射線画像撮影システム１００が撮影者にとって使い勝手が良いものとなるといった利点もある。
【００８２】
さらに、従来の場合には、放射線技師等の撮影者が、上記のように患者や各装置のポジショニングを行い、プレ撮影を行って、撮影者がプレ画像を確認した後で動態撮影を開始するため、撮影者がプレ画像を確認している間に患者が動いてしまい、患者や各装置のポジショニングを再度行わなければならなくなる場合があった。また、例えば最大吸気位でプレ撮影を行うために患者に息を止めてもらうと、患者への負担となるとともに、患者の息が乱れ、正常な呼吸状態で撮影を行うことができなくなり、撮影に支障を来たす場合があった。
【００８３】
それに対し、本実施形態に係る放射線画像撮影システム１００でも、上記のようにプレ撮影を行って得られたプレ画像をコンピューター４０の表示部４０ａ（図１参照）上に表示する等して撮影者が確認するが、コンピューター４０は、プレ画像の表示部４０ａ上への表示と並行して、プレ撮影後、すぐに動態撮影を開始する。そのため、本実施形態に係る放射線画像撮影システム１００では、上記の従来の場合のような問題が生じることがなく、この点でも放射線画像撮影システム１００が撮影者にとって使い勝手が良いものとなる。
【００８４】
［変形例１］
なお、上記の実施形態では、図７に示すように、放射線源１０のコリメーター１２の上遮蔽羽根１２Ａと下遮蔽羽根１２Ｂが、放射線の照射中心Ｃｘ（図１参照）を中心として上下方向（ｚ方向）に、互いに逆方向にかつ同じ変位量だけ移動し、また、コリメーター１２の左遮蔽羽根１２Ｃと右遮蔽羽根１２Ｄが、放射線の照射中心Ｃｘを中心として左右方向（ｙ方向）に、互いに逆方向にかつ同じ変位量だけ移動するように構成されていることを前提として説明した。
【００８５】
そのため、プレ画像ｐ_preにおける放射線の照射中心Ｏｘの位置（上記の照射中心Ｃｘが放射線検出部２０上に到達する位置に相当する。）を算出する際、コンピューター４０は、図４（Ｂ）に示したように、プレ画像ｐ_preにおける照射野ＩＦの中心位置Ｏｘとして簡単に照射中心Ｏｘの位置を算出することができた。
【００８６】
しかし、上遮蔽羽根１２Ａと下遮蔽羽根１２Ｂ、左遮蔽羽根１２Ｃと右遮蔽羽根１２Ｄが、それぞれ独立に移動することができるように構成されているコリメーター１２も存在する。そして、このようなコリメーター１２を用いた場合、プレ画像ｐ_preにおける放射線の照射中心Ｏｘの位置は、必ずしもプレ画像ｐ_preにおける照射野ＩＦの中心位置にはならない。
【００８７】
そのため、このような場合には、放射線源１０（図１参照）を前述した上下方向と左右方向の各基準位置（すなわちｚ＝０、ｙ＝０の位置）に配置し、放射線検出部２０を前述した上下方向の基準位置（すなわちｈ＝０の高さ）に配置した場合に、放射線源１０から照射される放射線Ｘの照射中心Ｃｘが放射線検出部２０のどこに照射されるか（すなわち放射線検出部２０で撮影される放射線画像における放射線の照射中心Ｏｘがどの画素位置になるか。以下、基準画素位置という。）を、予め実験的に或いは計算により算出して、コンピューター４０に記憶させておく。
【００８８】
そして、コンピューター４０は、上記のように放射線技師等の撮影者によるポジショニングの際に、放射線源１０の移動装置１４（図１参照）から通知される、放射線源１０の上下方向や左右方向の各基準位置からの距離ｚ、ｙ（すなわち放射線源１０の上下方向や左右方向の各位置）や、撮影台２１の計測装置２３から通知される、放射線検出部２０の基準位置からの高さｈ（すなわち放射線検出部２０の上下方向の位置）の各情報と、上記の基準画素位置の情報、および、前述した関係（すなわち放射線画像上での照射中心Ｏｘの画像の縦方向や横方向への移動量を表す画素数Δｕ、Δｖと、実空間上での放射線源１０の上下方向や左右方向への移動量Δｚ、Δｙとの関係）に基づいて、プレ画像ｐ_preにおける放射線の照射中心Ｏｘ（図４（Ｂ）参照）の位置（すなわち基準画素位置から縦方向にΔｕ、横方向にΔｖだけ移動した位置）を算出するように構成することが可能である。
【００８９】
このように構成すれば、放射線源１０のコリメーター１２が、上記のように上遮蔽羽根１２Ａと下遮蔽羽根１２Ｂ、左遮蔽羽根１２Ｃと右遮蔽羽根１２Ｄがそれぞれ独立に移動可能に構成されているコリメーターである場合であっても、コンピューター４０は、プレ画像ｐ_preにおける放射線の照射中心Ｏｘの位置を的確に算出して、放射線源１０を移動させることが可能となる。
【００９０】
また、この場合、コンピューター４０が調整装置１３を制御して、コリメーター１２の上遮蔽羽根１２Ａと下遮蔽羽根１２Ｂを、放射線の照射中心Ｃｘを中心として上下方向（ｚ方向）に、互いに逆方向にかつ同じ変位量だけ移動させ、また、コリメーター１２の左遮蔽羽根１２Ｃと右遮蔽羽根１２Ｄを、放射線の照射中心Ｃｘを中心として左右方向（ｙ方向）に、互いに逆方向にかつ同じ変位量だけ移動させる。
【００９１】
このように構成すれば、コンピューター４０が、放射線画像ｐにおける肺野Ｒの中心位置Ｏと放射線の照射中心Ｏｘの位置とが一致するように移動装置１４を制御して放射線源１０を移動させ、調整装置１３を制御してコリメーター１２を上記のように絞ることで、放射線画像ｐ中の放射線の照射野ＩＦを、放射線画像ｐ中に肺野Ｒが撮影されるぎりぎりの状態（すなわち肺野Ｒの範囲Ｒｅ）或いはそれよりも僅かに広い状態まで的確に絞ることが可能となり、上記の実施形態と全く同様の有益な効果を発揮させることが可能となる。
【００９２】
［第２の実施の形態］
第１の実施形態では、上記のように、光学式撮影装置３０を設けるように構成し、コンピューター４０が、光学式撮影装置３０が撮影した被写体Ｈの胸部の画像に基づいて被写体Ｈの肺野Ｒが最大吸気位になるタイミングを割り出し、割り出したタイミングで放射線源１０から放射線を１回だけ照射させてプレ撮影を行うように構成した場合について説明した。
【００９３】
しかし、光学式撮影装置３０を設けないように構成することも可能である。すなわち、この場合、放射線画像撮影システム２００は、図８に示すように、放射線源１０と、放射線検出部２０と、コンピューター４０とを備えるように構成される。なお、以下で説明する第２の実施形態において、第１の実施形態と同じ機能を有する装置等については、第１の実施形態の場合と同じ符号を付して説明する。
【００９４】
この場合、コンピューター４０は、放射線技師等の撮影者がポジショニングを終了し、放射線源１０の曝射スイッチを押すと、プレ撮影として、放射線源１０から放射線をパルス状に複数回照射させ、放射線源１０から放射線が照射されるごとに放射線検出部２０に画像データを検出させる。そして、放射線検出部２０から転送されてきた各画像データに対して所定の画像処理を施して複数枚の放射線画像（プレ画像）を生成する。この場合、複数枚のプレ画像として、例えば図１０に示したようなプレ画像が得られる。
【００９５】
なお、放射線源１０が、上記のような放射線をパルス状に照射するのではなく、放射線を連続的に照射するように構成されている場合もある。このような場合には、コンピューター４０は、プレ撮影として、放射線源１０から放射線を連続的に照射させ、その間に、放射線検出部２０に画像データを複数回検出させる。そして、上記と同様にして、複数枚の放射線画像（プレ画像）を生成するように構成することが可能である。
【００９６】
そして、コンピューター４０は、プレ撮影を停止し、上記のようにして生成した複数枚のプレ画像を解析して被写体Ｈの肺野Ｒが最大吸気位になっているプレ画像を抽出し、抽出したプレ画像を対象として、上記の第１の実施形態の場合と同様にして当該プレ画像における肺野Ｒの中心位置Ｏや肺野Ｒの範囲Ｒｅ（図４（Ａ）参照）を割り出す等の各処理を行う。そして、本撮影としての動態撮影を開始するように構成することが可能である。
【００９７】
このように構成すれば、第２の実施形態に係る放射線画像撮影システム２００においても、第１の実施形態と同様の有益な効果を発揮させることが可能となる。
【００９８】
［変形例２］
なお、第１の実施形態では、プレ撮影の際に、放射線源１０から放射線を照射する回数は１回だけで済んだが、第２の実施形態において、上記のように被写体Ｈの肺野Ｒが最大吸気位になっているプレ画像を抽出するためには、放射線源１０から放射線を複数回照射させたり（放射線源１０が放射線をパルス状に照射するタイプの場合）、放射線検出部２０が画像データを複数回検出する間、放射線を連続的に長い期間照射させたり（放射線源１０が放射線を連続的に照射するタイプの場合）することが必要になる。そのため、その分だけ、第１の実施形態に比べて、患者の被曝線量が大きくなり得る。
【００９９】
そこで、例えば、上記の第２の実施形態において、コンピューター４０は、プレ撮影の際に生成した複数枚の放射線画像（すなわちプレ画像）を、動態画像を構成する放射線画像（すなわちフレーム画像）の一部として用いるように構成することが可能である。
【０１００】
すなわち、この場合、放射線技師等の撮影者がポジショニングを終えて、放射線源１０の曝射スイッチを押すと、コンピューター４０は、プレ撮影ではなく、本撮影としての動態撮影をすぐに開始する。そして、動態撮影を続行しながら、動態撮影の開始直後に撮影された複数枚のフレーム画像を解析し、被写体Ｈの肺野Ｒが最大吸気位になっているフレーム画像を抽出する。そして、抽出したフレーム画像を対象として、上記の第１の実施形態の場合と同様にして当該フレーム画像における肺野Ｒの中心位置Ｏや肺野Ｒの範囲Ｒｅ（図４（Ａ）参照）を割り出す等の各処理を行い、本撮影としての動態撮影を行いながら、放射線源１０を移動させたりコリメーター１２を絞ったりするように構成することが可能である。
【０１０１】
このように構成すると、例えば図９に示すように、動態撮影が続行され各フレーム画像ｐが順次撮影される間に、コンピューター４０が移動装置１４を制御して放射線源１０が移動することによってフレーム画像ｐ中の照射野ＩＦの位置が移動したり、調整装置１３が制御されて放射線源１０のコリメーター１２が絞られることによってフレーム画像ｐにおける照射野ＩＦの範囲が狭くなったりする。なお、図９では、患者の呼吸による肺野Ｒの膨張や縮小は考慮されていない。
【０１０２】
しかし、このようにして動態撮影を行っても、肺野Ｒの縮尺は各フレーム画像ｐで同じであるため、放射線源１０のコリメーター１２が絞られる前に撮影されたフレーム画像ｐを、コリメーター１２が絞られた後に撮影されたフレーム画像ｐにおける照射野ＩＦと同じ範囲にトリミングすることで、全てのフレーム画像ｐにおいて、コリメーター１２が絞られた後の照射野ＩＦと同じ照射野ＩＦのフレーム画像ｐを得ることができる。
【０１０３】
そのため、上記のように構成しても、結局、第１の実施形態や第２の実施形態で得られる各フレーム画像と同様の複数枚のフレーム画像ｐを撮影することが可能となり、第１の実施形態や第２の実施形態と同様に患者の胸部（肺野Ｒ）の動態撮影を行うことができる。
【０１０４】
そして、この変形例２の場合にも、従来のように放射線技師等の撮影者がポジショニングの際に放射線源１０のコリメーター１２の絞り具合を広めに設定して動態撮影を行う場合に比べて、患者の肺野Ｒ以外の部分に放射線が照射されない状態にしたり照射される放射線の量を減らしたりすることが可能となるため、患者の被曝線量を的確に低減させることが可能となる。
【０１０５】
なお、本発明が上記の各実施形態や各変形例等に限定されず、本発明の趣旨を逸脱しない限り、適宜変更可能であることは言うまでもない。
【符号の説明】
【０１０６】
１０  放射線源
１２  コリメーター
１４  移動装置
２０  放射線検出部
３０  光学式撮影装置
４０  コンピューター
１００、２００  放射線画像撮影システム
Ｈ  被写体
ｈ  放射線検出部の上下方向の位置
Ｏ  放射線画像における肺野の中心位置
Ｏｘ  放射線画像における放射線の照射中心
ｐ  放射線画像
ｐ_pre  プレ画像（放射線画像）
Ｒ  肺野
Ｒｅ  放射線画像における肺野の範囲
ｔａ  最大吸気位になるタイミング
Ｘ  放射線
ｚ  放射線源の上下方向の位置
【図１】
2017074158.tif 000003
【図２】
2017074158.tif 000004
【図３】
2017074158.tif 000005
【図４】
2017074158.tif 000006
【図５】
2017074158.tif 000007
【図６】
2017074158.tif 000008
【図７】
2017074158.tif 000009
【図８】
2017074158.tif 000010
【図９】
2017074158.tif 000011
【図１０】
2017074158.tif 000012